(57)【特許請求の範囲】
【請求項１】
吸収性物品のめくれ防止アタッチメントであって、
底部と、
前記底部の上方空間を覆う覆い体と、を備え、
前記底部は、基材部と、下着固定用の粘着剤層と、前記粘着剤層を覆う剥離シートとを上方から順に有し、
前記覆い体は、前記吸収性物品の長手方向端部を挿入する開口部を前記底部の一辺に有し、
前記覆い体と前記底部とが前記底部の前記一辺と反対側の他辺の少なくとも一部位で固着されることを特徴とするめくれ防止アタッチメント。
【請求項２】
前記底部は、円弧状または矩形状に形成されることを特徴とする請求項１に記載のめくれ防止アタッチメント。
【請求項３】
前記覆い体及び前記基材部が布により形成されることを特徴とする請求項１又は２に記載のめくれ防止アタッチメント。
【請求項４】
前記布は、サーマルボンド不織布、スパンボンド不織布、スパンレース不織布、及びスパンボンド／メルトブロー／スパンボンド複合不織布の群から選ばれた少なくとも１種の不織布であることを特徴とする請求項３に記載のめくれ防止アタッチメント。
【請求項５】
前記不織布は、非透水性であることを特徴とする請求項４に記載のめくれ防止アタッチメント。
【発明の詳細な説明】
【技術分野】
【０００１】
本発明は、めくれ防止アタッチメントに関する。
【背景技術】
【０００２】
従来、軽失禁ライナー、パッドおよび生理用ナプキンなどを下着に装着するとき、それらのバックシートの外側にズレ止め粘着剤を設け、それによって下着に固定することが行われている。しかし、ショーツに軽失禁ライナーやパッドなどを装着した場合、動きが激しい場合や長時間の使用、就寝時などにおいて、これら製品の前後端がめくれたり、よれたりすることがある。そして、めくれやよれが生じると、肌に当たって不快感を感じさせるだけでなく、痛みやかゆみを起こす原因ともなる。
【０００３】
このような状況を改善するため、めくれを防止するために、以下の先行技術がある。防漏材の外面周縁部に粘着材を設ける（特許文献１）。これは、めくれにくくなるが、他方で剥がしにくいという問題がある。ズレ止め粘着層が剥離材の全域に亘って形成される（特許文献２）。これは、後端部は凹部形状のため、後端部はめくれやすい。前端補強シートと後端補強シートによりフラップのめくれを防止する（特許文献３）ものであるが、補強シートにより凹凸が生じると装着感やフィット性を損ねる可能性がある。
【先行技術文献】
【特許文献】
【０００４】
【特許文献１】特開２００５−３３４３４８
【特許文献２】特開２０１２−０１０８８３
【特許文献３】特開２０１２−１５７５１２
【発明の概要】
【発明が解決しようとする課題】
【０００５】
本発明は、このような事情に鑑みてなされたものであり、その目的は、尿パッド、軽失禁パッド、軽失禁ライナー、生理用ナプキンなどを装着しても、その前後端のめくれを防止する機能を有しためくれ防止アタッチメントを提供することにある。
【課題を解決するための手段】
【０００６】
本発明は、以下の構成によって把握される。
（１）吸収性物品のめくれ防止アタッチメントであって、底部と、前記底部の上方空間を覆う覆い体と、を備え、前記底部は、基材部と、下着固定用の粘着剤層と、前記粘着剤層を覆う剥離シートとを上方から順に有し、前記覆い体は、前記吸収性物品の長手方向端部を挿入する開口部を前記底部の一辺に有し、前記覆い体と前記底部とが前記底部の前記一辺と反対側の他辺の少なくとも一部位で固着されるめくれ防止アタッチメントを提供する。
【０００７】
（２）前記底部は、円弧状または矩形状に形成される（１）に記載のめくれ防止アタッチメントを提供する。
（３）前記覆い体及び前記基材部が布により形成される（１）又は（２）に記載のめくれ防止アタッチメントを提供する。
（４）前記布は、サーマルボンド不織布、スパンボンド不織布、スパンレース不織布、及びスパンボンド／メルトブロー／スパンボンド複合不織布の群から選ばれた少なくとも１種の不織布である（３）に記載のめくれ防止アタッチメントを提供する。
（５）前記不織布は、非透水性である（４）に記載のめくれ防止アタッチメントを提供する。
【発明の効果】
【０００８】
このように構成される下着は、尿パッド、軽失禁パッド、軽失禁ライナー、生理用ナプキンなどを装着しても、その前後端のめくれを防止する機能を有しためくれ防止アタッチメントを提供することができる。
【図面の簡単な説明】
【０００９】
【図１】第１実施形態に係る下着を示す斜視図である。
【図２】図１の下着の肌当接面側を示す展開図である。
【図３】吸収性物品の拡大図であって、（ａ）は平面図、（ｂ）は模式断面図を示す。
【図４】本実施形態に係るめくれ防止アタッチメントを説明する図、（ａ）は、平面図、（ｂ）は正面図、（ｃ）底面図、（ｄ）右側面図、（ｅ）はＡ−Ａ断面図である。
【図５】本実施形態に係るめくれ防止アタッチメントを、吸収性物品を嵌め込んで下着のクロッチ部に貼り付けた状態を示した図である。
【図６】クロッチ部の前部及び後部の両側にめくれ防止アタッチメントを装着した状態を示す図である。
【発明を実施するための形態】
【００１０】
以下、添付図面を参照して、本発明を実施するための形態（以下、実施形態）について詳細に説明する。なお、実施形態の説明の全体を通して同じ要素には同じ番号を付している。
【００１１】
まず、下着１０の全体構成を図１及び図２によって説明する。下着１０は、吸収性物品１００が装着できれば特に限定されるものではなく、男性用又は女性用の一般的なショーツや、女性用の生理用ショーツ、高齢者の失禁用パンツ、幼児のおむつなど、何でもよい。ここでは、代表して、女性用の一般的なショーツを用いて説明する。下着１０は、図１に示すように、前身ごろ部１１と、後身ごろ部１２と、前見ごろ部１１と後身ごろ部１２をつなぐクロッチ部１３から構成されている。クロッチ部１３とは、補強目的で生地が二重に縫製された、股下にあたる部分である。図２は、前身ごろ部１１と後身ごろ部１２とを切り離して、下着１０を展開した場合を示しており、詳しくは後述するように、めくれ防止アタッチメント２０によって、吸収性物品１００の前方端がすっぽり覆いかぶされており、このめくれ防止アタッチメント２０が後述の粘着剤層を介してクロッチ部１３に装着できるものである。
【００１２】
次に、図３を用いて、めくれ防止アタッチメント２０に挿入される吸収性物品１００について、説明する。吸収性物品１００は、身体から排出される体液を吸収することを目的として、クロッチ部１３に装着されるものである。吸収性物品１００としては、例えば、尿パッド、軽失禁パッド、軽失禁ライナー、生理用ナプキンなどの略矩形状の吸収性物品１００を挙げることができる。以下では、略矩形状の吸収性物品１００を例として用いて説明する。
【００１３】
ここで、吸収性物品１００の長手方向は、吸収性物品１００が着用されたときに着用者の前後にわたる方向となり、吸収性物品１００の短手方向は、長手方向に対して横又は直交する方向となる。また、肌当接面は、吸収性物品１００の２つの表面のうち、着用者の肌に向けられる表面をいい、非肌当接面は、肌当接面の裏面をいい、着衣が着用される場合には、着衣側に向けられる表面をいう。吸収性物品１００の厚み方向は、吸収性物品１００の肌当接面または非肌当接面の法線方向となる。また、吸収性物品１００の平面視は、吸収性物品１００を肌当接面側から見ることをいう。
【００１４】
図３（ａ）は、吸収性物品１００を平面視した平面図であり、図３（ｂ）は、図３（ａ）のＸ−Ｘ断面を模式的に示した断面図である。図３（ａ）に示すように、吸収性物品１００は、平面視において、吸収部１０１と側縁部１０２とに大別される。図３（ｂ）を用いて少し詳しく断面視すると、吸収部１０１は、肌と接触する側から順に、液透過性のトップシート１０３、液拡散性シート１０４、上キャリアシート１０５、吸収コア層１０６、下キャリアシート１０７及び液不透過性のバックシート１０８から構成されている。そして、側縁部１０２としては、吸収性物品１００を装着したときに体液の横漏れを防止するため、吸収部１０１の側面及び肌当接面の側縁を覆う立体ギャザーシート１１１が配置されており、立体ギャザーシート１１１の肌当接面の側縁には肌側に立体的に立ち上がるための弾性部材１１２が設けられている。
【００１５】
ここで、バックシート１０８の非肌当接面の長手方向に沿った中央部には、下着１０とのズレを防止するため、ズレ止め粘着剤１０９及び剥離紙１１０が設けられている。
【００１６】
なお、図３（ａ）には、吸収性物品１００の平面視において、吸収部１０１には圧搾溝１１３が設けられた例を示している。図３（ｂ）には図示していないが、圧搾溝１１３は、トップシート１０３の表面からトップシート１０３、液拡散性シート１０４及び吸収コア層１０６の少なくともいずれかに至るまで形成されている。これにより、吸収コア層１０６での体液の吸収、拡散がより円滑に行われる。
【００１７】
図４は、本実施形態に係るめくれ防止アタッチメントを説明する図、（ａ）は、平面図、（ｂ）は正面図、（ｃ）底面図、（ｄ）右側面図、（ｅ）はＡ−Ａ断面図である。図４に示すように、吸収物品のめくれ防止アタッチメント２０は、吸収性物品１００本体の前後端をすっぽり覆いかぶせることができ、下着１０に装着することができるものである。めくれ防止アタッチメント２０は、底部２１と、底部２１の上方空間を覆う覆い体２２とを有する。
【００１８】
底部２１は、吸収性物品の前後端を覆いかぶせることができればどのような形状であってもよく、例えば円弧状または矩形状に形成されている。この底部２１は、上方から、基材部２１１と、下着固定用の粘着剤層２１２と、粘着剤層を覆う剥離シート２１３とを有する。
【００１９】
覆い体２２は、吸収性物品の長手方向端部を挿入する開口部２２１を底部２１の一辺に有する。覆い体２２と底部２１とが底部２１の一辺と反対側の他辺の少なくとも一部位で固着される。
覆い体２２及び基材部２１１は、例えば布により形成される。この布は、クロッチ部１３やショーツ１０本体と同一の素材であってもよいし、異なってもよい。また、覆い体２２及び基材部２１１は、サーマルボンド不織布、スパンボンド不織布、スパンレース不織布、及びスパンボンド／メルトブロー／スパンボンド複合不織布の群から選ばれた少なくとも１種の不織布から形成されてもよい。また、めくれ防止アタッチメント２０の素材が不織布の場合、非透水性であることが好ましい。
【００２０】
図４（ｂ）に示すように、めくれ防止アタッチメント２０は、吸収性物品１００を挿入する側から側面視したとき、吸収性物品１００の前端部１００ａを覆う覆い体２２が所定の膨らみをもって形成されていてもよい。この膨らみの程度は、吸収性物品１００をめくれ防止アタッチメント２０に挿入及び／又は抜去する容易さと、吸収性物品１００を装着したときの装着者の違和感などを考慮して、適切に設定すればよい。図４では、膨らみの形状を円弧状にしているが、矩形状にしてもよいし、さらには、膨らみの側面を蛇腹（山折りと谷折りの組合わせ）のように形成してもよい。
【００２１】
図５は、図２の部分拡大図であって、本実施形態に係るめくれ防止アタッチメント２０を、吸収性物品１００を嵌め込んで下着１０のクロッチ部１３に貼り付けた状態を示した図である。図４及び図５に示すように、クロッチ部１３の前部１３ａの肌当接面側に、吸収性物品１００の長手方向の前端部１００ａが嵌め込まれためくれ防止アタッチメントを貼り付けている。ここでは、平面視において、めくれ防止アタッチメント２０が円弧状の前方（吸収性物品１００からみて奥側）の端辺２０ａを有している場合を図示しているが、形状はこれに限定される必要はなく、例えば吸収性物品１００の形状に合わせて、矩形状としてもよい。また、同様に、めくれ防止アタッチメント２０が直線状の後方（吸収性物品１００からみて手前側）の端辺２０ｂを有している場合を図示しているが、形状はこれに限定される必要はなく、例えば前方の端辺２０ａと同一又は異なる曲率の円弧状としても差し支えない。要は、吸収性物品１００の前端部１００ａのめくれ防止に役立つ範囲であれば、端辺２０ｂの形状は任意である。
【００２２】
このように、吸収性物品１００の前端部１００ａがすっぽり入るめくれ防止アタッチメント２０に吸収性物品１００の前端部１００ａを嵌め込んで下着１０に装着することにより、吸収性物品１００そのものにめくれを防止する機能を新たに付加しなくてもよくなる。なお、ここまで、クロッチ部１３の前部１３ａにめくれ防止アタッチメント２０を装着した形態について説明したが、前部１３ａに代えて、クロッチ部１３の後部１３ｂにめくれ防止アタッチメント２０を装着するようにしてももちろんよく、その場合は、吸収性物品１００の後端部１００ｂがめくれ防止アタッチメント２０に挿入される。要するに、本実施形態は、クロッチ部１３の前部１３ａ及び後部１３ｂのいずれか一方にめくれ防止アタッチメント２０を装着するものである。
【００２３】
本実施形態では、クロッチ部１３の前部１３ａ及び後部１３ｂのいずれか一方にめくれ防止アタッチメント２０を装着しているため、装着者の好み、体型や肌の状況及び／又は生活スタイルなどに応じて、めくれが顕著な側のみにめくれ防止アタッチメント２０を装着すればよい。もちろん、めくれ防止アタッチメント２０の装着位置は、クロッチ部１３の範囲内に限られるものではない。要求される吸収性物品１００のサイズや、装着者の体型などを考慮し、クロッチ部１３の長手方向の範囲を超えて前身ごろ部１１又は後身ごろ部１２に装着してもよい。
【００２４】
図６は、クロッチ部の前部１３ａ及び後部１３ｂの両側にめくれ防止アタッチメント２０を装着した状態を示す図である。図６に示すように、めくれ防止アタッチメント２０をクロッチ部１３の前部１３ａ及び後部１３ｂの双方に一対として装着したものである。図６の例では、吸収性物品１００の前端部１００ａと後端部１００ｂの両端部にめくれ防止アタッチメント２０をそれぞれ嵌め込んで、めくれ防止アタッチメント２０をそれぞれクロッチ部１３の前部１３ａ及び後部１３ｂに装着することができ、前後ともにめくれが顕著な装着者にとっては同時にめくれを防止することができる。
【００２５】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００２６】
１０……下着（ショーツ）
１１……前身ごろ部
１２……後身ごろ部
１３……クロッチ部
１３ａ……前部（クロッチ部の）
１３ｂ……後部（クロッチ部の）
２０……めくれ防止アタッチメント
２０ａ……前方の端辺（めくれ防止アタッチメントの）
２０ｂ……後方の端辺（めくれ防止アタッチメントの）
２１……底部
２１１……基材部
２１２……粘着剤層
２１３……剥離シート
２２……覆い体
１００……吸収性物品
１００ａ……前端部（吸収性物品の）
１００ｂ……後端部（吸収性物品の）
１０１……吸収部
１０２……側縁部
１０３……トップシート
１０４……液拡散性シート
１０５……上キャリアシート
１０６……吸収コア層
１０７……下キャリアシート
１０８……バックシート
１０９……ズレ止め粘着剤
１１０……剥離紙
１１１……立体ギャザーシート
１１２……弾性部材
１１３……圧搾溝
２２１……開口部
【図１】
0006286299.tif 000002
【図２】
0006286299.tif 000003
【図３】
0006286299.tif 000004
【図４】
0006286299.tif 000005
【図５】
0006286299.tif 000006
【図６】
0006286299.tif 000007